(57)【要約】【課題】戸枠への保持強度を高めた錠受け装置の提供を目的とする。【解決手段】プレート部１から脚柱２を立設した取付ベース３と、  扉４に固定される錠装置５の施錠体６が係止する係止開口７を備え、前記取付ベース３の脚柱２の柱頭からねじ込まれるビス８により取付ベース３に連結されるストライク９とを有し、  戸枠の縦枠部材１０をストライク９と取付ベース３のプレート部１により挟み付けて戸枠に固定される。【選択図】  図２
2007217924.tif 000002
【特許請求の範囲】
【請求項１】
プレート部から脚柱を立設した取付ベースと、
扉に固定される錠装置の施錠体が係止する係止開口を備え、前記取付ベースの脚柱の柱頭からねじ込まれるビスにより取付ベースに連結されるストライクとを有し、
戸枠の縦枠部材をストライクと取付ベースのプレート部により挟み付けて戸枠に固定される錠受け装置。
【請求項２】
前記脚柱に連結され、
プレート部とストライクとにより挟まれる空間中に係止開口に連通する施錠体挿入空間を画成する覆い部材を有する請求項１記載の錠受け装置。
【請求項３】
前記覆い部材は、弾性変形部を脚柱に圧接させて取付ベースに連結される請求項２記載の錠受け装置。
【請求項４】
前記覆い部材は、前記施錠体挿入空間の側壁面を構成する立ち上がり片を底壁部から立ち上げてボックス形状に形成され、
前記立ち上がり片が前記弾性変形部として使用される請求項３記載の錠受け装置。
【請求項５】
前記覆い部材は、位置決め部を脚柱側壁に当接させて回り止めされる請求項３または４記載の錠受け装置。
【発明の詳細な説明】
【技術分野】
【０００１】
本発明は、錠受け装置に関するものである。
【背景技術】
【０００２】
開き戸、引き戸等の扉に設けられる錠装置の施錠体を受容し、扉を施錠するために戸枠側に固定される錠受け装置としては、特許文献１に記載されたものが知られている。
【０００３】
この従来例において、錠受け装置は錠装置の鎌片（施錠体）が挿入して係止する嵌合孔（係止開口）が中央部に開設された板状部材として形成され、戸枠の表面にビス等を使用して固定される。
【特許文献１】特開平１０-３３１４９９号公報
【発明の開示】
【発明が解決しようとする課題】
【０００４】
しかし、上述した従来例において、錠受け装置は戸枠表面側から止着されて固定されるために、表面側への剥離強度は止着子の戸枠への固定強度により決定される。このため、例えば、戸枠が木製等、高い強度を求めることができない材料で形成される場合、あるいは金属材料であっても、バーリング加工等によりねじ部が形成されて十分なねじ数が確保されない場合等には、施錠状態での扉への強制開放操作力の負荷により錠受け装置が戸枠から脱離してしまうという欠点を有する。
【０００５】
本発明は、以上の欠点を解消すべくなされたものであって、戸枠への保持強度を高めた錠受け装置の提供を目的とする。
【課題を解決するための手段】
【０００６】
本発明によれば上記目的は、
プレート部１から脚柱２を立設した取付ベース３と、
扉４に固定される錠装置５の施錠体６が係止する係止開口７を備え、前記取付ベース３の脚柱２の柱頭からねじ込まれるビス８により取付ベース３に連結されるストライク９とを有し、
戸枠の縦枠部材１０をストライク９と取付ベース３のプレート部１により挟み付けて戸枠に固定される錠受け装置を提供することにより達成される。
【０００７】
錠受け装置は、戸枠の縦枠部材１０の正面（本明細書において、図１（ａ）に示すように、閉扉４状態で施錠体６に対峙する面を「正面」、その反対面を「背面」とする。）側に配置されるストライク９に加え、取付ベース３を備える。取付ベース３は戸枠の背面に添って配置されるプレート部１から脚柱２を立設して形成され、ストライク９は脚柱２にねじ止めして固定される。
【０００８】
錠受け装置はストライク９とプレート部１により戸枠の縦枠部材１０を挟み付けた状態で戸枠に固定されるために、戸枠への取り付け状態においてストライク９に剥離方向の力が加わった場合には、取付ベース３と戸枠背面壁との接触部全体に抗力が発生する。このため、戸枠の材質が弱くても、十分な強度を期待できる。
【０００９】
以上の錠受け装置には覆い部材１２を加えることができる。覆い部材１２は、主として、ストライク９の係止開口７を介して戸枠が露出することによる美観低下、防犯性能低下の防止に有効であり、少なくとも戸枠を不完全であっても遮蔽することができれば足り、例えば、有底のボックス体、あるいは無底の枠体として形成できる。
【００１０】
覆い部材１２の固定には、例えばストライク９と共に脚柱２に共締めしたり、予めストライク９に固定しておく等、種々の手段によることができるが、覆い部材１２に形成した弾性変形部１３を脚柱２に圧接させることにより装着できるように構成すると、組み付け作業性を向上させることができる。
【００１１】
弾性変形部１３は、例えば脚柱２を弾性的に把持するフック体のように、遮蔽用壁面とは異なる一体的、あるいは別体の構成部として形成することもできるが、覆い部材１２の遮蔽用壁面をそのまま利用することもできる。この場合、覆い部材１２は、施錠体挿入空間１１の側壁面を構成して遮蔽用壁面となる立ち上がり片１４を備えたボックス体として形成することができ、適数の立ち上がり片１４の全体、あるいは一部が弾性変形部１３として利用される。
【００１２】
立ち上がり片１４に弾性変形能をもたせて弾性変形部１３として機能させるためには、立ち上がり片１４を弾性可能な材料により形成するとともに、弾性変形部１３として機能させる部分をスリットにより他の部分と分離し、当該他の部分との間で相対移動可能にすればよい。立ち上がり片１４の全幅を弾性変形部１３として利用する場合には、スリットは隣接する他の立ち上がり片１４との境界に形成され、このような覆い部材１２は、底壁対応部の辺縁から側壁対応部を延設した金属板材を用意し、側壁対応部を折り曲げて立ち上がり片１４とすることにより製造できる。
【発明の効果】
【００１３】
本発明の錠受け装置は、戸枠を挟み付けるようにして戸枠に固定されるために、戸枠への固定強度を高めることができる。
【発明を実施するための最良の形態】
【００１４】
図１ないし３に開き戸用の戸枠に装着された本発明の実施の形態を示す。開き戸（扉４）には、施解錠操作に伴って扉４の開閉端面から進退する施錠体６を備えた錠装置５が固定される。この実施の形態において錠装置５は、閂状のデッドボルトとフック状の鎌部材の２種類の施錠体６を備え、さらに、扉４の表裏には、図外のラッチボルトを操作するためのハンドル１７が配置される。
【００１５】
錠受け装置は、戸枠に固定されて上記錠装置５の施錠体６を係止し、閉扉状態を維持するもので、戸枠の縦枠部材１０の正面壁に配置されるストライク９と、背面壁側に配置される取付ベース３とを有する。
【００１６】
図２に示すように、ストライク９は錠装置５の施錠体６が係止可能な縦長長方形状の係止開口７を中央部に備えた板材であり、係止開口７の周囲にはビス挿通孔９ａが形成される。この実施の形態において、ビス挿通孔９ａは、係止開口７の上下縁に平行な線分上に各２個、合計４個が配置される。
【００１７】
このストライク９は、係止開口７に上記錠装置５の施錠体６を係止させた状態で係止解除方向の外力を加えても容易に変形、破断しない程度の強度が期待できるように、板厚、材質が決定される。ストライク９の装着による縦枠部材１０正面壁への段差発生を防止するために、縦枠部材１０の正面壁にはストライク９が嵌合する嵌合凹部１０ａが形成される。
【００１８】
取付ベース３は、プレート部１から４本の脚柱２を立設して形成される。脚柱２は、上記ストライク９のビス挿通孔９ａに一致する位置に配置される。脚柱２の高さ寸法（Ｈｐ）は、薄い板厚の扉４に取り付けた場合にも脚柱２とストライク９とが扉４内に収まるように、薄い仕様の扉厚（Ｔｄ）よりさらに小寸に形成される（図１（ｂ）参照）。
【００１９】
以上の取付ベース３は、プレート部１を縦枠部材１０の背面壁に沿わせ、脚柱２をストライク９側に向けた姿勢で縦枠部材１０に固定される。取付ベース３のプレート部１には木製の縦枠部材１０に固定するための木ねじ１８が挿通するねじ挿通孔１ａが設けられ、また、取付ベース３の脚柱２を挿通させるために、縦枠部材１０には正面視長方形の装着用開口１０ｂが表裏に貫通して形成される。
【００２０】
さらに、錠受け装置は覆い部材１２を備える。覆い部材１２は長方形の底壁部１５の辺縁から立ち上がり片１４を立ち上げたボックス形状に形成され、図１に示すように、開放面をストライク９側に向けた姿勢で配置されて装着用開口内部に施錠体挿入空間１１を区画する。この覆い部材１２は対向する２枚の立ち上がり片１４を脚柱２に圧接した状態で取付ベース３に装着される。
【００２１】
立ち上がり片１４に弾性変形能を付与して脚柱２に圧接させるために、覆い部材１２は板金を折り曲げて形成されるとともに、隣接する立ち上がり片１４同士は相互に連結されることなく、各々片持梁状態とされる。さらに、図４に示すように、底壁部１５の脚柱２に対応する辺縁（この実施の形態においては短辺部）間の間隔（Ｄ１）は、対応する脚柱２、２間の間隔（Ｄ２）よりやや小寸にされて当該脚柱２間に配置可能とされるとともに、図４（ｂ）に示すように、短辺部から立ち上がる立ち上がり片１４は、先端に行くに従って漸次対向する他の立ち上がり片１４との間隔が広がり（差分δ）、脚柱２間の間隔（Ｄ１）より大寸となる傾斜面とされる。
【００２２】
また、脚柱２に圧接する２枚の立ち上がり片１４の先端には、各立ち上がり片１４が対応する２本の脚柱２間のスペースに進入可能な位置決め部１６が曲成される。
【００２３】
したがってこの実施の形態において、図４（ｃ）、（ｄ）に示すように、脚柱２間に覆い部材１２を押し込むと、脚柱２に干渉する２枚の立ち上がり片１４は弾性変形部１３として機能し、押し込み完了位置において脚柱２に圧接して装着位置に保持される。錠受け装置の戸枠への取り付けは、以上のようにして覆い部材１２を装着した取付ベース３を戸枠の縦枠部材１０に固定し、次いで、縦枠部材１０の正面壁にストライク９を固定することによって行うことができる。上述したように、脚柱２の長さ（Ｈｐ）は扉４の板厚（Ｔｄ）に比して小寸に形成されているために、ビス８を使用してストライク９を脚柱２に固定する際には、確実に取付ベース３のプレート部１とストライク９とが縦枠部材１０の表裏両面に圧接するために、がたつきの発生がない。
【００２４】
なお、以上の実施の形態においては、４本の脚柱２が立設されるのに対応し、位置決め部１６は２本の脚柱２間に嵌合するように形成されているが、圧接する立ち上がり片１４に１本の脚柱２しか設定しない場合には、位置決め部１６は、例えば、当該脚柱２を挟むフォーク形状に形成される。
【図面の簡単な説明】
【００２５】
【図１】本発明を示す図で、（ａ）は扉への固定状態を示す水平断面図、（ｂ）は（ａ）の１Ｂ-１Ｂ線断面図である。
【図２】錠受け装置の分解斜視図である。
【図３】ストライクを取付ベースに連結した状態を示す図で、（ａ）は図１（ｂ）から扉と戸枠を取り除いた正面図、（ｂ）は図１（ｂ）の３Ｂ-３Ｂ線断面図である。
【図４】覆い部材を示す図で、（ａ）は正面図、（ｂ）は（ａ）の４Ｂ方向矢視図、（ｃ）は取付ベースへの装着工程を示す断面図、（ｄ）は（ｃ）の４Ｄ方向矢視図、（ｅ）は取付ベースに装着した状態を示す（ｃ）に対応する図、（ｆ）は（ｄ）に対応する図である。
【符号の説明】
【００２６】
１        プレート部
２        脚柱
３        取付ベース
４        扉
５        錠装置
６        施錠体
７        係止開口
８        ビス
９        ストライク
１０      縦枠部材
１１      施錠体挿入空間
１２      覆い部材
１３      弾性変形部
１４      立ち上がり片
１５      底壁部
１６      位置決め部
【図１】
2007217924.tif 000003
【図２】
2007217924.tif 000004
【図３】
2007217924.tif 000005
【図４】
2007217924.tif 000006